(57)【要約】【課題】  設置および取り外し作業の容易な屋上用植栽容器ユニットを提供すること。【解決手段】  上面の解放された容器本体と、前記本体容器の底面が所定の空隙を有するように支持固定する脚部とからなる屋上用植栽容器ユニットであって、前記容器本体の側面に作業用凹部を形成すると共に、前記作業凹部の近傍で且つ容器本体の下面に前記脚部を挿入する為の挿入凹部を形成したので、容器本体の作業凹部から接着剤を注入して脚部のみを設置面に容易に固定することができる。設置面から容器本体を取り外す場合、作業凹部から手を入れてほぼ鉛直方向に引き抜けば容易に取り外すことができる。【選択図】  図１
2005117927.tif 000002
【特許請求の範囲】
【請求項１】
上面の解放された容器本体と、
前記本体容器の底面が所定の空隙を有するように支持固定する脚部とからなる屋上用植栽容器ユニットであって、
前記容器本体の側面に作業用凹部を形成すると共に、前記作業凹部の近傍で且つ容器本体の下面に前記脚部を挿入する為の挿入凹部を形成したことを特徴とする屋上用植栽容器ユニット。
【請求項２】
前記脚部の横断面が円形であるとともに、底面に開口した接着剤充填室を有することを特徴とする請求項１に記載の屋上用植栽容器ユニット。
【請求項３】
前記脚部の横断面が方形であるとともに、底面に開口した接着剤充填室を有することを特徴とする請求項１に記載の屋上用植栽容器ユニット。
【請求項４】
前記作業凹部の内側に形成された係合溝にそれぞれ連結蓋を係合することにより、隣接する屋上用植栽容器ユニットを連結できることを特徴とする請求項１に記載の屋上用植栽容器ユニット。
【発明の詳細な説明】
【技術分野】
【０００１】
本発明は、ビル等の屋上階やベランダ等に植物を育成する為の屋上用植栽容器ユニットに関するものである。
【背景技術】
【０００２】
従来、ビルの屋上やベランダに植物を植えることは、広く行われている。しかし、屋上等は、風が強く吹く場合があるために、植栽する容器を床面に固定する必要がある。また、屋上部やベランダは、補修防水工事を所定年度ごとに再度行う必要があり、その際植栽容器を撤去する必要があった。
【０００３】
例えば、特開２００３−４７３２８号公報等に開示されているように、植栽トレーを脚で支えると共に、屋上等に敷設して天然芝を植栽する植栽キットが提案されている。
【０００４】
【特許文献１】特開２００３−４７３２８号公報
【発明の開示】
【発明が解決しようとする課題】
【０００５】
しかし、特開２００３−４７３２８号公報に開示された植栽キットを設置面に接着しない場合では、天然芝等の背丈の低い植物を植えるにはよいが、背丈の高い植物では、強風が吹いた際に落下する虞れがあり、大変危険である。また、植栽キットを設置面に接着する場合では、防水修復工事を行う際に植栽容器を撤去する作業が困難であると云う問題点が存在した。
【課題を解決するための手段】
【０００６】
前記目的を達成するために、請求項１に記載の発明は、上面の解放された容器本体と、前記本体容器の底面が所定の空隙を有するように支持固定する脚部とからなる屋上用植栽容器ユニットであって、前記容器本体の側面に作業用凹部を形成すると共に、前記作業凹部の近傍で且つ容器本体の下面に前記脚部を挿入する為の挿入凹部を形成したことを特徴としている。
【０００７】
また、請求項２に記載の発明において、前記脚部の横断面が円形であるとともに、底面に開口した接着剤充填室を有することを特徴とするものである。
【０００８】
また、請求項３に記載の発明において、前記脚部の横断面が方形であるとともに、底面に開口した接着剤充填室を有することを特徴とするものである。
【０００９】
また、請求項４に記載の発明において、前記作業凹部の内側に形成された係合溝にそれぞれ連結蓋を係合することにより、隣接する屋上用植栽容器ユニットを連結できることを特徴とするものである。
【発明の効果】
【００１０】
この発明は前記した構成からなるので、以下に説明するような効果を奏することができる。
【００１１】
請求項１に記載の発明では、上面の解放された容器本体と、前記本体容器の底面が所定の空隙を有するように支持固定する脚部とからなる屋上用植栽容器ユニットであって、前記容器本体の側面に作業用凹部を形成すると共に、前記作業凹部の近傍で且つ容器本体の下面に前記脚部を挿入する為の挿入凹部を形成したので、容器本体の作業凹部から接着剤を注入して脚部のみを設置面に容易に固定することができる。設置面から容器本体を取り外す場合、作業凹部から手を入れてほぼ鉛直方向に引き抜けば容易に取り外すことができる。また、横方向から吹く強風に対しても、脚部と容器本体の挿入凹部との摺動摩擦によって抜け出ることがない。
【００１２】
また、請求項２に記載の発明において、前記脚部の横断面が円形であるとともに、底面に開口した接着剤充填室を有するので、方向性を気にすることなく、脚部を容器本体に挿入することができる。また、作業凹部から容易に接着剤を注入して設置面に固定することができる。更に、脚部と本体容器は、固着されていないので、補修工事の際にはほぼ鉛直に引き抜くことができるが、横風等では抜け出る虞れがない。
【００１３】
また、請求項３に記載の発明において、前記脚部の横断面が方形であるとともに、底面に開口した接着剤充填室を有するので、脚部と挿入凹部との摺動距離を充分に確保でき、横風等で容器本体が抜け出る虞れがない。
【００１４】
また、請求項４に記載の発明において、前記作業凹部の内側に形成された係合溝にそれぞれ連結蓋を係合することにより、隣接する屋上用植栽容器ユニットを連結できるので、複数の屋上用植栽容器ユニットを並べて使用する際に、作業凹部を上から塞ぐことができ、外観を綺麗にできる。
【発明を実施するための最良の形態】
【００１５】
本発明は、容器本体の側面に作業用凹部を形成すると共に、作業凹部の近傍で且つ容器本体の下面に脚部を挿入する為の挿入凹部を形成し、ほぼ鉛直に容易に引き抜くことができるが、横方向の力には反力性を示す屋上用植栽容器ユニットを実現した。
【実施例１】
【００１６】
以下、一実施の形態を示す図面に基づいて本発明を詳細に説明する。図１は、本発明に係る屋上用植栽容器ユニットの一例を示す平面図、図２は本発明の屋上用植栽容器ユニットを示す正面図、図３は、本発明の屋上用植栽容器ユニットを示す縦断面図である。ここで、屋上用植栽容器ユニット１０は、上面の解放された容器本体１１と、本体容器１１の底面が所定の空隙を有するように支持固定する脚部１２とからなり、前記容器本体１１の側面に作業用凹部１３を形成すると共に、前記作業凹部１３の近傍で且つ容器本体１１の下面に脚部１２を挿入する為の挿入凹部１４が形成されている。
【００１７】
本体容器１１は、本実施例においてほぼ正方形の平面を有していおり、側面のほぼ中央に作業凹部１３が形成されている。作業凹部１３は、本体容器１１が内側に後退しており、複数の屋上用植栽容器ユニット１０を隙間なく並べた際に、ここから接着剤、例えば、ウレタン発泡剤等を注入することができる。また、図３に示すようにこの作業凹部１３を上から閉塞する連結蓋１５を設けてもよい。連結蓋１５は、１個の作業凹部１３を塞ぐ端部用の連結蓋１５−１と互いに隣接する２個の作業凹部１３を塞ぐ連結蓋１５−２とがある。連結蓋１５−１は、左右に垂下して形成された係合爪１５ａを有している。また、連結蓋１５−２は、係合爪１５ａを一側にだけ有していおり、ユニットの端部に使用される。このように構成された連結蓋１５は、設置面に固定された屋上用植栽容器ユニット１０の作業凹部１３を上から塞ぐことができる。また、連結蓋１５の係合用の係合爪１５ａは、本体容器１１側に形成された係合溝１１ａと係合して固着される。また、係合爪１５ａは、外方に開いた手掛かり部１５ｂを有しており、ここを持って引くことにより取り外すことができる。
【００１８】
本体容器１１には、作業凹部１３の近傍で且つ下面に脚部１２を挿入する為の挿入凹部１４が形成されている。図１〜図３に示す実施例では、断面が円形をした脚部１２を挿入できるように円形をしている。また、本体容器１１には、エアーレーション用スリット１６を有したエアーレーションタワー１７が形成されている。図３に示すように、エアーレーションタワー１７は、下面が開口しておりスリット１６を通じて外気と連通している。したがって、植栽植物の根腐れ等を防止できる。また、本体容器１１の内底面に適宜位置に、発泡フェノール等の吸水性に優れた吸水部材１９を配置してもよい。更に、本体容器１１の内底面に凹部を形成し、この凹部に発泡フェノール等の吸水部材１９を配置してもよい。
【００１９】
また、本体容器１１には、所定箇所に散水孔を有する散水ホース２０を配置してもよい。散水ホース２０は、本体容器１１を横切って配置されており、左右の作業凹部１３には接続用の端子２０ａが取り付けられている。この接続用の端子２０ａを可撓性パイプ等で接続することにより、図４に示すように複数の屋上用植栽容器ユニットを並べた場合にも散水ホース２０を接続し、給水することができる。更に、本体容器１１の内側には、補強用のリブ２１が適宜位置に形成されている。
【００２０】
以上のように構成された本発明に係る屋上用植栽容器ユニット１０の使用方法について説明する。先ず、ビルの屋上、ベランダ等の設置場所を決めた後、挿入凹部１４の内に脚部１２を接着力の弱い両面テープ等で仮止めしておく。次に、屋上用植栽容器ユニット１０を順次配置する。同時に、互いの接続用の端子２０ａを可撓性パイプで接続する。また、適宜、連結蓋１５を用いて屋上用植栽容器ユニット１０の通り、不陸を確認する。更に、作業凹部１３から脚部１２の底面に接着剤を注入する。本体容器１１内には、発泡フェノール等の吸水部材１９を配置すると共に栽培土壌を入れる。吸水部材１９を入れることにより、植栽に必要な土壌の量を少なくし、屋上用植栽容器ユニット全体の重量を軽減することができる。また、散水ホース２０が全てのユニットに張り巡らされるので、植物に散水する手数を削減することができる。
【００２１】
図５は、本発明の屋上用植栽容器ユニットに使用される支持脚の変形例を示す斜視図である。ここで、図５に示すのは、脚部２２が角筒状である場合である。脚部２２は、角筒状の脚２２ａと角板状の基板２２ｂと注入部２２ｃとから構成されている。このように構成した場合、本体容器１１への着脱が容易となるとともに、接着剤を注入部２２ｃから注入することができる。  
【００２２】
図６は、同屋上用植栽容器ユニット１０に使用される支持脚と本体容器１１との関係を示す斜視図、図７は、図６に示す支持脚の縦断面図である。ここに示す実施例では、脚部２７を角筒状にするとともに、内部に隔壁２７ａを設けその下を接着剤充填室３１としたものである。また、角筒の内側には、補強リブ２７ｂが配設されている。接着剤充填室３１は、底面が開放しており、接着剤を充填することで、設置面と脚部２７を固着することができる。また、本体容器１１側の挿入凹部２８は、脚部２７に対応して角穴状に構成されている。このように構成した場合、脚部２５を接着剤で設置面に固定できるとともに、固着した脚部２７の角筒部分が外側からの摺動力を受けることとなり、脚部２７が強風を受けても、外れ難くなる。
【図面の簡単な説明】
【００２３】
【図１】図１は、本発明に係る屋上用植栽容器ユニットの一例を示す平面図である。
【図２】図２は、同屋上用植栽容器ユニットを示す正面図である。
【図３】図３は、同屋上用植栽容器ユニットを示す縦断面図である。
【図４】図４は、同屋上用植栽容器ユニットを複数組み合わせた状態を示す平面図である。
【図５】図５は、同屋上用植栽容器ユニットに使用される支持脚の変形例を示す斜視図である。
【図６】図６は、同屋上用植栽容器ユニットに使用される支持脚と本体容器と関係を示す斜視図である。
【図７】図７は、図６に示す支持脚の縦断面図である。
【符号の説明】
【００２４】
Ｓ      接着剤  
１０      屋上用植栽容器ユニット
１１      本体容器
１１ａ    係合溝
１２      脚部
１３      作業凹部
１４      挿入凹部
１５      連結蓋
１５ａ    係合爪
１５ｂ    手掛かり部
１６      スリット
１７      エアーレーションタワー
１９      吸水部材
２０      散水ホース
２０ａ    接続用の端子
２１      補強用のリブ
２２      脚部
２７      脚部
２７ａ    隔壁
２７ｂ    補強リブ
２８      挿入凹部
３１      接着剤充填室
【図１】
2005117927.tif 000003
【図２】
2005117927.tif 000004
【図３】
2005117927.tif 000005
【図４】
2005117927.tif 000006
【図５】
2005117927.tif 000007
【図６】
2005117927.tif 000008
【図７】
2005117927.tif 000009